(57)【要約】      （修正有）【課題】連続印刷における印刷機や切断機の精度上、印刷ズレが切断ズレが生じても、連続印刷の継ぎ目部を目立たないようにしたリピート柄の継ぎ目無し連続印刷方法を提供する。【解決手段】リピート柄Ｒの両端のベタ刷り部分Ｒａの小幅域Ｓにおいて、その最端から中央に向かうにしたがって、ベタ刷り部分Ｒａの画像密度が０〜１００％に増加するように調整した平版Ｐを用い、前記リピート柄Ｒの両端のベタ刷り部分Ｒａの画像密度が調整された小幅域Ｓが重なるように連続印刷するようにしている。【選択図】図１
2005096221.tif 000002
【特許請求の範囲】
【請求項１】
リピート柄（Ｒ）の両端のベタ刷り部分（Ｒａ）の小幅域（Ｓ）において、その最端から中央に向かうにしたがって、ベタ刷り部分（Ｒａ）の画像密度が０〜１００％に増加するように調整した平版（Ｐ）を用い、前記リピート柄（Ｒ）の両端のベタ刷り部分（Ｒａ）の画像密度が調整された小幅域（Ｓ）が重なるように連続印刷することを特徴とするリピート柄の継ぎ目無し連続印刷方法。
【請求項２】
前記小幅域（Ｓ）を、１〜３ｍｍ幅程度にしたことを特徴とする請求項１記載のリピート柄の継ぎ目無し連続印刷方法。
【請求項３】
前記小幅域（Ｓ）を、０．３〜０．５ｍｍ幅程度にしたことを特徴とする請求項１記載のリピート柄の継ぎ目無し連続印刷方法。
【発明の詳細な説明】
【技術分野】
【０００１】
この発明は、例えば清涼飲料水の瓶に貼付するラベルを連続印刷する場合など、リピート柄を継ぎ目無しに連続印刷する方法に関するものである。
【背景技術】
【０００２】
従来、リピート柄を継ぎ目無しに連続して印刷するには、図９、１０に示したような平版輪転機を使用して行っている。
【０００３】
図９は、平版輪転機の要部を示し、１１は前側版シリンダ、１２は後側版シリンダであり、両版シリンダ１１、１２間の距離Ｌ、両版シリンダ１１、１２の円周長およびリピート柄の繰返し単位長は互いに等しく設定され、前側版シリンダ１１には前側加圧シリンダ１３が、また後側版シリンダ１２には後側加圧シリンダ１４がそれぞれ下から圧接し、各版シリンダ１１、１２の上部には、それぞれ湿しローラおよびインキローラ（図示されていない）が接している。
【０００４】
しかして、上記の前側版シリンダ１１および後側版シリンダ１２は、それぞれ外周に着脱自在に巻付け固定されたアルミニウム製の平版１１ａ、１２ａを有しており、上記の平版に版シリンダ１１、１２の円周長Ｌの１／２の長さの画像１１ｂ、１２ｂが描かれ、前側版シリンダ１１および後側版シリンダ１２が互いの反対の位相にセットされている。なお、１１ｃ、１２ｃは、平版１１ａ、１２ａの両端を固定するための溝である。
【０００５】
上記の平版輪転機において、前側版シリンダ１１から後側版シリンダ１２に向かって矢印方向に長尺シートＳを供給して一定の速度で走行させると、図９に示すように、前側版シリンダ１１が転写を開始するとき、後側版シリンダ１２は転写を終了した状態にある。この状態から長尺シートＳが前側版シリンダ１１の画像長さＬａ（ただし、Ｌａ＝Ｌ／２）だけ進むと、前側版シリンダ１１により転写が終了する。この状態が図１０に示され、Ｓａは、上記前側版シリンダ１１で印刷された長さＬａのリピート柄前半部である。
【０００６】
続いて、長尺シートＳが上記繰返し単位長Ｌと前側版シリンダ１１で印刷されたリピート柄前半部Ｓａの長さＬａとの差Ｌｂ（ただし、Ｌｂ＝Ｌ／２）だけ進むと、図１０の長尺シートＳに鎖線Ｓｂで示した部分に後側版シリンダ１２の画像１２ｂがリピート柄後半部として印刷され、後側版シリンダ１２と長尺シートＳとの接点においてリピート柄前半部Ｓａとリピート柄後半部Ｓｂとが接続され、長尺シートＳ上に長さＬのリピート柄の１単位が完成する。このとき、前側版シリンダ１１は、図１０に示す転写開始時の状態に戻っている（特許文献１）。
【０００７】
また、リピート柄を継ぎ目無しに連続して印刷するには、図１１に示したようなバリアブル印刷機を使用して行っている。
【０００８】
バリアブル印刷機は、図１１に示したように、同期して正転と逆転を行うことができるようにした一対のインフィールドローラ２１、２２の間に印刷ユニット２３ａ、２３ｂが配置されている。そしてこの印刷ユニット２３ａ、２３ｂは版胴２４とブランケット胴２５と圧胴２６とからなり、ブランケット胴２５の周囲には、例えば１／２円周長ｓ−ａの印刷面となる大径部が設けてあり、この大径部の周囲にブランケット２７が取り付けてある。
【０００９】
このバリアブル印刷機において、例えば一方の印刷ユニット２３ａにおいて、版胴２４からブランケット２７に、これの始端ｓからｂの周方向長さにわたって版が転写され、すなわち、天地方向長さがｓ−ｂの印刷を天地方向に繰り返し連続的に連続紙２８に印刷する場合、ブランケット胴２５が連続回転する間に、インフィールドローラ２１、２２の作用により、連続紙２８は、ブランケット胴２５の大径部の周長ｓ−ａにわたって等速で前進走行し、次のブランケット２７がなくブランケット胴２５と圧胴２６間に隙間がある間である小径部の周長ａ−ｓの回転にわたってａ−ｂだけ逆方向に走行し、これを順次繰り返して、ブランケット胴２５の回転ごとに、連続紙２８上にｓ−ｂの天地長さの画像の印刷が繰り返し印刷されるようになっている。
【００１０】
このときの一対のインフィールドローラ２１、２２の回転制御は、連続紙２８のブランケット胴２５の回転に対する走行速度及び走行距離が図示しないコントローラにて制御されるようになっている（特許文献２）。
【特許文献１】特開平６−２９７６９２号公報（第３頁、図１、２）
【特許文献１】特開２００３−３９６３０号公報（第２頁、図１）
【発明の開示】
【発明が解決しようとする課題】
【００１１】
しかしながら、上記従来の平版輪転機を使用したり、バリアブル印刷機を使用したリピート柄の連続印刷において、例えば清涼飲料水の瓶などに貼付するラベルを連続印刷する際に印刷ズレが生じ、隣り合うラベル間に継ぎ目部（ベタ刷りが重なり合わず白抜きになった部分や、ベタ刷りが重なり合って濃くなった部分）が、機械の精度上、約０．３〜０．５ｍｍの範囲、場合によっては約１〜３ｍｍの範囲でできることがある。そして、この連続印刷したラベルを一枚ずつ切断して瓶などに貼付していく際に、ラベルの切断機も精度上、約０．３〜０．５ｍｍの範囲、場合によっては約１〜３ｍｍの切断ズレが生ずるので、継ぎ目部を丁度切断することができず、ラベルに継ぎ目部が残ってしまい、その部分が目立って、商品価値を落としてしまうという問題点を有していた。
【００１２】
そこで、この発明は、上記従来の問題点を解決することをその課題としており、連続印刷における印刷機や切断機の精度上、印刷ズレが切断ズレが生じても、連続印刷の継ぎ目部を目立たないようにしたリピート柄の継ぎ目無し連続印刷方法を提供することを目的としてなされたものである。
【課題を解決するための手段】
【００１３】
そのため、この発明の印刷方法は、リピート柄Ｒの両端のベタ刷り部分Ｒａの小幅域Ｓにおいて、その最端から中央に向かうにしたがって、ベタ刷り部分Ｒａの画像密度が０〜１００％に増加するように調整した平版Ｐを用い、前記リピート柄Ｒの両端のベタ刷り部分Ｒａの画像密度が調整された小幅域Ｓが重なるように連続印刷するようにしている。
【００１４】
そして、この発明の印刷方法におけるリピート柄は、前記小幅域Ｓを１〜３ｍｍ幅程度にしたり、０．３〜０．５ｍｍ幅程度にすることができる。
【発明の効果】
【００１５】
この発明の連続印刷方法は、以上に述べたように構成されているので、リピート柄の継ぎ目が目立たないように連続印刷することができ、その連続印刷したリピート柄を一枚ずつ切断して瓶などの商品に貼付しても、その継ぎ目が目立つことなく、商品価値を落としてしまうようなことはなくなった。
【発明を実施するための最良の形態】
【００１６】
以下、この発明の連続印刷方法を実施するための最良の形態を、図面に基づいて詳細に説明する。
【００１７】
図１は、この発明の連続印刷方法に使用する平版Ｐであり、リピート柄Ｒの両端のベタ刷り部分Ｒａの端部側の小幅域Ｓにおいて、図２に示すように、その最端から中央に向かうにしたがって、ベタ刷り部分Ｒａの画像密度が０〜１００％に増加するように調整したものとしている。なお、前記平版Ｐのベタ刷り部分Ｒａの端部側の小幅域Ｓは、１〜３ｍｍ幅程度にしているが、使用する印刷機の精度により０．３〜０．５ｍｍ幅程度にしてもよい。
【００１８】
図３、４は、この発明の連続印刷方法に使用する印刷機であり、従来から存在する平版輪転機およびバリアブル印刷機（ステップバック印刷機）などが使用される。
【００１９】
図３は、平版輪転機の要部を示し、１は前側版胴、２は後側版胴であり、両版胴１、２間の距離Ｌ、両版胴１、２の円周長は互いに等しく設定され、前側版胴１には前側加圧胴３が、また後側版胴２には後側加圧胴４がそれぞれ下から圧接し、各版胴１、２の上部には、それぞれ湿しローラおよびインキローラ（図示されていない）が接している。
【００２０】
上記の前側版胴１および後側版胴２は、それぞれ外周に着脱自在に巻付け固定されたアルミニウム製の前記平版Ｐ、Ｐを有しており、版胴１、２の円周長Ｌの１／２の長さより両端部をそれぞれ１〜３ｍｍ長くしており、前側版胴１および後側版胴２が互いの反対の位相にセットされている。
【００２１】
上記の平版輪転機において、前側版胴１から後側版胴２に向かって矢印方向に連続紙５を供給して一定の速度で走行させると、図３に示すように、前側版胴１が転写を開始するとき、後側版胴２は転写を終了した状態にある。この状態から連続紙５が前側版胴１の平版長さＬａ（ただし、Ｌａ＝Ｌ／２＋１〜３ｍｍ）だけ進むと、前側版胴１により転写が終了する。この状態が図４に示され、Ｓａは、上記前側版胴１で印刷された長さＬａのリピート柄である。
【００２２】
続いて、連続紙５が後側版胴２の平版長さＬｂ（ただし、Ｌｂ＝Ｌ／２＋１〜３ｍｍ）だけ進むと、図４の連続紙５に鎖線Ｓｂで示した部分に後側版胴２によりリピート柄として印刷され、これらリピート柄どうしが、図５に示したように、それぞれのリピート柄Ｒ、Ｒの両端のベタ刷り部分Ｒａの画像密度が調整された小幅域Ｓが重なるように印刷され、連続紙５上に長さＬ／２のリピート柄Ｒ、Ｒが連続印刷される。このとき、前側版胴１は、図３に示す転写開始時の状態に戻っている。
【００２３】
次に、この発明の連続印刷方法に使用するバリアブル印刷機は、図６（ａ）〜（ｇ）に示したように、同期して正転と逆転を行うことができるようにした一対のインフィールドローラ（図示せず）の間に印刷ユニットＵが配置されている。そしてこの印刷ユニットＵは版胴６とブランケット胴７と圧胴８とからなり、圧胴８の周囲には、例えば約３／５円周長の押圧面となる大径部８ａが設けてある。
【００２４】
このバリアブル印刷機の印刷ユニットＵにおいて、版胴６からブランケット胴７に、これの始端ｓからａの周方向長さにわたってリピート柄Ｒが転写され（図６の（ａ）〜（ｃ）間）、天地方向長さがｓ−ａのリピート柄Ｒを天地方向に繰り返し連続的に連続紙５に印刷する場合（図７の（ａ）、（ｂ）間）、ブランケット胴７が連続回転する間に、インフィールドローラの作用により、連続紙５は、ブランケット胴７の周長ｓ−ａにわたって前進走行し、次にブランケット胴７と圧胴８間に隙間がある間である小径部８ｂの回転にわたって逆方向に走行し（図７の（ｃ）、図６の（ａ）、（ｂ）間）、これを順次繰り返して、ブランケット胴７の回転ごとに、連続紙５上にｓ−ａの天地長さのリピート柄Ｒの印刷が繰り返し印刷されるようになっている。
【００２５】
このときの一対のインフィールドローラの回転制御は、連続紙５のブランケット胴７の回転に対する走行速度及び走行距離の関係が、図示しないコントローラにて、図８に示すように制御されるようになっている。
【００２６】
すなわち、図６、７に示すように、ブランケット胴７のリピート柄Ｒの始端ｓが圧胴８の大径部８ａに対した状態からブランケット胴７が、リピート柄Ｒの終端ａが圧胴８に対向する位置まで回転してその間（等速域）にわたって連続紙５は図８におけるＯ−Ａ間を等速走行し、その間に連続紙５上には天地長さがｓ−ａのリピート柄Ｒが印刷される。そして次にブランケット胴７がａ−ｓだけ回転する間（間欠域）にわたって、連続紙５はｓ−ａだけ逆方向に移動するが、このとき、図８におけるＡ−Ｂ間は前進方向に減速走行し、次いでＢ−Ｃ間、Ｃ−Ｄ間で逆方向に減速走行し、その後、Ｄ−Ｅ間で前進方向に加速走行し、このＥ点から再びブランケット胴７のｓ−ａにわたって上記の動作が行われるように制御されている。これにより、連続紙５には、天地方向長さがｓ−ａのリピート柄Ｒが繰り返し印刷されている。
【００２７】
この場合、リピート柄Ｒと連続するリピート柄Ｒとが、前記図５に示したように、それぞれのリピート柄Ｒ、Ｒの両端のベタ刷り部分Ｒａの画像密度が調整された小幅域Ｓが重なるように印刷することにより、連続紙５上に長さＬのリピート柄Ｒが連続印刷されることになる。
【００２８】
すなわち、この発明の印刷方法は、リピート柄Ｒの両端のベタ刷り部分Ｒａの端部側のの小幅域Ｓにおいて、その最端から中央に向かうにしたがって、ベタ刷り部分Ｒａの画像密度が０〜１００％に増加するように調整した平版を用いて、前記リピート柄Ｒの両端のベタ刷り部分Ｒａの画像密度が調整された小幅域Ｓどうしが重なるように連続印刷するようにしているので、印刷が重なった小幅域Ｓの画像密度は１００％に近づいて行き、継ぎ目部分が目立たなくなる。
【００２９】
なお、この発明の印刷方法は、上記平版輪転機およびバリアブル印刷機を使用して説明したが、リピート柄Ｒの両端のベタ刷り部分Ｒａの画像密度が調整された小幅域Ｓが重なるように連続印刷するようにした印刷機であれば、どのような印刷機を用いてもよい。
【図面の簡単な説明】
【００３０】
【図１】この発明の印刷方法に使用される平版の平面図である。
【図２】この発明の印刷方法に使用される平版の部分拡大平面図である。
【図３】この発明の印刷方法に使用される平版輪転機の概略説明図である。
【図４】図３の版胴が半回転した後の概略説明図である。
【図５】この発明の印刷方法で印刷されたリピート柄の印刷が重なった部分の拡大説明図である。
【図６】この発明の印刷方法に使用されるバリアブル印刷機の作動状態を示す概略説明図である。
【図７】この発明の印刷方法に使用されるバリアブル印刷機の作動状態を示す概略説明図である。
【図８】図６に示すバリアブル印刷機におけるブランケット胴の回転と連続紙走行距離の関係を示す線図である。
【図９】従来の平版輪転機の概略説明図である。
【図１０】図８の版シリンダが半回転した後の概略説明図である。
【図１１】従来のバリアブル印刷機の概略説明図である。
【符号の説明】
【００３１】
Ｐ  平版
Ｒ  リピート柄
Ｒａ  ベタ刷り部分
Ｓ  小幅域
【図１】
2005096221.tif 000003
【図２】
2005096221.tif 000004
【図３】
2005096221.tif 000005
【図４】
2005096221.tif 000006
【図５】
2005096221.tif 000007
【図６】
2005096221.tif 000008
【図７】
2005096221.tif 000009
【図８】
2005096221.tif 000010
【図９】
2005096221.tif 000011
【図１０】
2005096221.tif 000012
【図１１】
2005096221.tif 000013